(57)【要約】  支持構造に物体を固定するためのアンカー及びファスナー組み合わせアセンブリは、上面及び下面を有するアンカー基板と、上端及び下端を有し、その上端が基板に結合されることによりその下面から垂れ下がる長尺状の支柱とを含む。少なくとも部分的にねじが切られた止まり穴が、基板の上面から支柱の中に延び、基板の上面の開口上端及び支柱内の閉鎖下端を有する。アンカー基板の下面は、支柱で覆われている下面の領域を除いて支持構造の少なくとも一部がそれと当接し、概ね面一になることを可能にするように構成されている。
2021514435.tif 000002
【特許請求の範囲】
【請求項１】
支持構造に物体を固定するためのアンカー及びファスナー組み合わせアセンブリであって、
上面及び下面を有するアンカー基板と、上端及び下端を有し、前記上端が前記基板に結合されることにより前記下面から垂れ下がる長尺状の支柱と、前記基板の前記上面から前記支柱の中に延び、前記基板の前記上面の開口上端及び前記支柱内の閉鎖下端を有する、少なくとも部分的にねじが切られた止まり穴とを備え、前記アンカー基板の前記下面は、支柱で覆われている前記下面の領域を除いて支持構造の少なくとも一部がそれと当接し、概ね面一になることを可能にするように構成されている、アンカー及びファスナー組み合わせアセンブリ。
【請求項２】
前記支柱が、少なくとも部分的にねじが切られたねじを備える、請求項１に記載のアセンブリ。
【請求項３】
前記アンカー基板がフランジを備える、請求項１に記載のアセンブリ。
【請求項４】
前記フランジが、ほぼ円形の平面フランジである、請求項３に記載のアセンブリ。
【請求項５】
貫通穴を有する多角形のナットが、その貫通穴が前記基板の前記止まり穴と軸方向に整列し、位置合わせされた状態で、前記基板の上面に取り付けられる、請求項１に記載のアセンブリ。
【請求項６】
前記多角形のナットが六角形のナットである、請求項２に記載のアンカープラットフォームアセンブリ。
【請求項７】
開口上端及び開口下端を備えた貫通穴を有する長尺状の管状ネック部分をさらに含み、その前記開口下端は、その貫通穴が前記基板の前記止まり穴と軸方向に整列し、位置合わせされた状態で前記基板の前記上面に取り付けられる、請求項２に記載のアセンブリ。
【請求項８】
前記ネック部分の前記貫通穴が、少なくとも部分的にねじが切られている、請求項７に記載のアセンブリ。
【請求項９】
前記止まり穴が長手方向に延びる軸を有し、前記アセンブリがさらに、前記アンカーを前記止まり穴の前記軸の周りで回転させるための手段を含む、請求項７に記載のアセンブリ。
【請求項１０】
前記回転手段が、前記アンカーを支持構造内に回転させるための工具を収容するように構成及び寸法決めされた、前記長尺状のネック部分の前記開口上端に隣接してその中に形成されたポートを備える、請求項９に記載のアセンブリ。
【請求項１１】
前記止まり穴が長手方向に延びる軸を有し、前記アセンブリがさらに、前記アンカーを前記止まり穴の前記軸の周りで回転させるための手段を含む、請求項１に記載のアセンブリ。
【請求項１２】
前記回転手段が、前記止まり穴の前記開口上端に隣接してその中に形成されたポートを備える、請求項１１に記載のアセンブリ。
【請求項１３】
前記ポートが皿ねじスロットとして構成及び寸法決めされる、請求項１２に記載のアセンブリ。
【請求項１４】
前記ポートがアレンキーポートとして構成及び寸法決めされる、請求項１２に記載のアセンブリ。
【請求項１５】
前記止まり穴を介して物体を前記アンカー基板に結合する手段をさらに含む、請求項１に記載のアセンブリ。
【請求項１６】
前記結合手段がねじ付きボルトである、請求項１５に記載のアセンブリ。
【請求項１７】
前記支柱によって覆われた前記下面の領域を除いて前記下面が前記支持構造の少なくとも一部とほぼ面一である状態で前記アンカー基板を前記支持構造に結合する手段をさらに含む、請求項１に記載のアセンブリ。
【請求項１８】
前記支柱が、少なくとも部分的にねじを切られたボルトを備える、請求項１に記載のアセンブリ。
【請求項１９】
前記アンカー基板がフランジを備える、請求項１７に記載のアセンブリ。
【請求項２０】
前記フランジがほぼ円形の平面フランジである、請求項１８に記載のアセンブリ。
【請求項２１】
貫通穴を有する多角形のナットが、その貫通穴が前記基板の前記止まり穴と軸方向に整列し、位置合わせされた状態で、前記基板の上面に取り付けられる、請求項１８に記載のアセンブリ。
【請求項２２】
前記多角形のナットが六角形のナットである、請求項２１に記載のアンカープラットフォームアセンブリ。
【請求項２３】
開口上端及び開口下端を備えた貫通穴を有する長尺状の管状ネック部分をさらに含み、その前記開口下端は、その貫通穴が前記基板の前記止まり穴と軸方向に整列し、位置合わせされた状態で前記基板の前記上面に取り付けられる、請求項１８に記載のアセンブリ。
【請求項２４】
前記ネック部分の前記貫通穴が、少なくとも部分的にねじが切られている、請求項２３に記載のアセンブリ。
【請求項２５】
前記止まり穴が長手方向に延びる軸を有し、前記アセンブリがさらに、前記アンカーを前記止まり穴の前記軸の周りで回転させるための手段を含む、請求項２３に記載のアセンブリ。
【請求項２６】
前記回転手段が、前記アンカーを支持構造内に回転させるための工具を収容するように構成及び寸法決めされた、前記長尺状のネック部分の前記開口端に隣接してその中に形成されたポートを備える、請求項２５に記載のアセンブリ。
【請求項２７】
前記止まり穴が長手方向に延びる軸を有し、前記アセンブリがさらに、前記アンカーを前記止まり穴の前記軸の周りで回転させるための手段を含む、請求項１８に記載のアセンブリ。
【請求項２８】
前記回転手段が、前記止まり穴の前記開口上端に隣接してその中に形成されたポートを備える、請求項２７に記載のアセンブリ。
【請求項２９】
前記ポートが皿ねじスロットとして構成及び寸法決めされる、請求項２８に記載のアセンブリ。
【請求項３０】
前記ポートがアレンキーポートとして構成及び寸法決めされる、請求項２８に記載のアセンブリ。
【請求項３１】
前記止まり穴を介して物体を前記アンカー基板に結合する手段をさらに含む、請求項１８に記載のアセンブリ。
【請求項３２】
物体を結合するための前記手段がねじ付きボルトを備える、請求項３１に記載のアセンブリ。
【請求項３３】
前記支柱によって覆われた前記下面の領域を除いて前記下面が前記支持構造の少なくとも一部とほぼ面一である状態で前記アンカー基板を前記支持構造に結合する手段をさらに含む、請求項１８に記載のアセンブリ。
【請求項３４】
前記結合手段がナットを備える、請求項３３に記載のアセンブリ。
【発明の詳細な説明】
【技術分野】
【０００１】
関連出願
本出願は、２０１８年２月２０日に出願された米国仮特許出願第６２／６３２，４５３号、２０１８年４月６日に出願された米国仮特許出願第６２／６５３，６９４号、２０１８年８月３０日に出願された米国仮特許出願第６２／７２４，８９１号の利益を主張し、２０１７年１２月２２日に出願された米国特許出願第１５／８５２，７３３号及び２０１８年１２月１３日に出願された米国ＰＣＴ出願番号第ＰＣＴ／ＵＳ／２０１８／０６５４６５号の一部継続出願であり、これらはそれぞれ参照により本明細書に組み込まれる。
【０００２】
発明の分野
本発明は、概して、例えば建物内の周囲の支持枠に窓及びドアを固定するなど、様々な仕事のために建築業界で特に有用である、ファスナー及びアンカーの分野に関する。より詳細には、本発明は、アンカーとファスナーの組み合わせアセンブリに関し、固定と結合の両方の機能が、比較的単純であるが、非常に効果的なアンカーとファスナーの組み合わせアセンブリを提供することによって達成される。アセンブリは、支柱に取り付けられた基板又はフランジを備え、支柱は、物体を支持構造に固定するための、ねじ付きの止まり穴がその中に形成されたねじ又はボルトの形態で基板又はフランジから垂れ下がり、簡単、容易、そして迅速な据え付けを可能にする強くて頑丈なジョイントを提供し、防水性能も付与する。
【背景技術】
【０００３】
従来技術の簡単な説明
屋根及びテラス又は窓、ドアなどへソーラーパネル及び手すりなどの様々なアイテムを取り付け及び防水するための様々な方法はよく知られているが、時間が経つにつれて粗雑で不十分であることが判明する。窓及びドア業界では、窓及びドアが建物の骨組みに取り付けられている箇所で、水の浸入に関する問題がしばしば発生する。従来のパン雨よけは、窓又はドアの下に設置して、窓又はドアの開口部から又はその周囲で漏れ得る水を集めて外部に導くことができるが、建物骨組みへのパン雨よけの取り付け箇所で水の浸入がなおも発生する可能性がある。したがって、従来の窓又はドア固定システムによって引き起こされる水又は湿気の損傷に対する保証を提供したり、保険を取得したりすることは、設置業者の多くにとって困難である。
【０００４】
出願人の米国特許出願第１５／８５２，７３３号において、出願人は、屋根、屋根デッキ、バルコニーなどへのソーラーパネル、ＨＶＡＣ装置及び屋根手すりなどの屋根設備、付属構造物などの取り付け及び防水を特に目的とする新規のアンカー及びファスナーアセンブリの提供によってこの問題に対処し、このアセンブリは、アンカー基板とそこから垂れ下がる支柱とを含み、後者は、目的の「固定」構造支持体の中へ又はそれを貫いて受け入れ可能であり、少なくとも部分的にねじが切られた止まり穴が基板を貫き、ポストに入る。ボルトなどのファスナーは、物体をアセンブリに結合するための止まり穴に受け入れ可能である。上述のように、アセンブリは、例えば、ソーラーパネル、ＨＶＡＣ、又は他の屋根設備を屋根又は他の建物構造に固定するために使用することができる。本発明は、強力で強固な接合及び防水性能を提供しながら、支柱をワンピースのねじ又はボルトアンカーとして構成することによって、特に窓及びドアを対象とするこの新規のアンカー及びファスナーアセンブリの改良を提供する。
【０００５】
したがって、本発明の目的は、上述の従来技術のシステムにおけるこのような問題に有利で効果的かつ容易な方法で対処し解決する新規のアンカーシステムを提供することである。
【０００６】
本発明のさらなる目的は、取り付け点において防水接続を提供することにおいて、従来技術のシステムよりも信頼性の高い新規のアンカーアセンブリを提供することである。
【０００７】
本発明の別の目的は、設計及び構造が比較的単純であり、導入が容易かつ迅速であり、比較的安価に製造できる、新規のワンピース型アンカーアセンブリを提供することである。
【０００８】
本発明の目的は、例えば、建物の骨組みに形成された開口部に窓及びドアを固定する、又はシャッターなどを吊り下げる、及び取り付け点で防水保護を提供するためなど、様々な支持及び接続作業のために建築業界で特に有用な新規のアンカーアセンブリを提供することである。
【発明の概要】
【課題を解決するための手段】
【０００９】
発明の概要
前述の特定の目的及び関連する目的は、上面及び下面を有するアンカー基板と、上端及び下端を有し、前記上端が前記基板に結合されることにより前記下面から垂れ下がる長尺状の支柱と、前記基板の前記上面から前記支柱の中に延び、前記基板の前記上面の開口上端及び前記支柱内の閉鎖下端を有する、少なくとも部分的にねじが切られた止まり穴とを備え、前記アンカー基板の前記下面は、支柱で覆われている前記下面の領域を除いて支持構造の少なくとも一部がそれと当接し、概ね面一になることを可能にするように構成されている、支持構造に物体を固定するためのアンカー及びファスナーの組み合わせアセンブリを提供することにより、本発明に従って容易に達成される。
【００１０】
本発明の好ましい実施形態では、支柱は、少なくとも部分的にねじが切られたねじ又はボルトのいずれかを備える。有利には、アンカー基板はフランジを備え、望ましくは、フランジは、ほぼ円形の平面フランジである。
【００１１】
さらに好ましい実施形態では、貫通穴を有する多角形のナットが、その貫通穴が前記基板の前記止まり穴と軸線方向に整列し、位置合わせされた状態で、前記基板の上面に取り付けられる。多角形のナットは、好ましくは六角形のナットである。
【００１２】
別の好ましい実施形態では、アンカーは、開口上端及び開口下端を備えた貫通穴を有する長尺状の管状ネック部分を含み、その前記開口下端は、貫通穴が前記基板の前記止まり穴と軸方向に整列し、位置合わせされた状態で前記基板の前記上面に取り付けられる。望ましくは、前記ネック部分の貫通穴は、少なくとも部分的にねじが切られている。最も望ましくは、止まり穴は長手方向に延びる軸を有し、アセンブリはさらに、前記アンカーを前記止まり穴の前記軸の周りで回転させるための手段を含む。最も有利には、前記回転手段は、前記アンカーを支持構造内に回転させるための工具を収容するように構成及び寸法決めされた、前記長尺状のネック部分の前記開口上端に隣接してその中に形成されたポートを備える。
【００１３】
或いは、前記回転手段は、前記止まり穴の前記開口上端に隣接してその中に形成されたポートを備える。ポートは、皿ねじスロットとして又はアレンキーポートとして構成及び寸法決めすることができる。
【００１４】
本発明の特に好ましい実施形態では、アセンブリは、前記止まり穴を介して物体を前記アンカー基板に結合する手段、好ましくはねじ付きボルトと、前記支柱によって覆われた前記下面の領域を除いて前記下面が支持構造の少なくとも一部とほぼ面一にある状態で前記アンカー基板を支持構造に結合する手段であって、有利にはナットを備える手段とをさらに備える。
【００１５】
図面の簡単な説明
本発明の他の目的及び特徴は、本発明のいくつかの実施形態を開示する添付の図面に関連して考慮される詳細な記載から明らかになるであろう。図面は、例示の目的でのみ使用され、本発明の制限の定義として使用されるべきではないことを理解されたい。
【図面の簡単な説明】
【００１６】
【図１】本発明の第１の実施形態によるフラッシュねじアンカー及びファスナー組み合わせアセンブリの側面図である。
【図２】図１に示されるフラッシュねじアンカーアセンブリの部分断面の側面図である。
【図３】図２及び３に示されるフラッシュアンカーフランジアセンブリの平面図である。
【図４Ａ】図２と同様の部分断面の側面図であるが、任意選択で設けられたマイナスドライバポートを示している。
【図４Ｂ】図３と同様の上面図であるが、任意選択で設けられたマイナスドライバポートを示している。
【図５Ａ】図２と同様の部分断面の側面図であるが、任意選択で設けられたアレンキーポートを示している。
【図５Ｂ】図３と同様の上面図であるが、任意選択で設けられたアレンキーポートを示している。
【図６】本発明の第２の実施形態による六角頭部ねじアンカー及びファスナー組み合わせアセンブリの側面図である。
【図７】図６に示される六角頭部ねじアンカーアセンブリの部分断面の側面図である。
【図８】図６に示される六角頭部ねじアンカーアセンブリの部分断面の平面図である。
【図９】本発明の第３の実施形態によるロングネックねじアンカー及びファスナー組み合わせアセンブリの側面図である。
【図１０】図９に示されるロングネックねじアンカーアセンブリの部分断面の平面図である。
【図１１】図９に示されるロングネックねじアンカーアセンブリの斜視図である。
【図１２】ねじではなく中央止まり穴を備えたボルトを利用した、第１の実施形態に対応するボルトアンカーアセンブリの部分断面の側面図である。
【図１３】ねじではなく中央止まり穴を備えたボルトを利用した、第２の実施形態に対応するボルトアンカーアセンブリの部分断面の側面図である。
【図１４】ねじではなく中央止まり穴を備えたボルトを利用した、第３の実施形態に対応するボルトアンカーアセンブリの部分断面の側面図である。
【図１５】窓を建物の窓枠に固定するために利用される、フラッシュ及び六角頭部ねじアンカーアセンブリの部分的に立面の側断面図である。
【図１６Ａ】シャッターを家の外壁に固定するために利用されるロングネックねじアンカーアセンブリを分解図で示す、部分的に立面の側断面図である。
【図１６Ｂ】シャッターを家の外壁に固定するために利用されるロングネックねじアンカーアセンブリを完全に設置された図で示す、部分的に立面の側断面図である。
【図１７Ａ】シャッターを家の外壁に固定するために利用されるロングネックボルトアンカーアセンブリを分解図で示す、部分的に立面の側断面図である。
【図１７Ｂ】シャッターを家の外壁に固定するために利用されるロングネックボルトアンカーアセンブリを完全に設置された図で示す、部分的に立面の側断面図である。
【発明を実施するための形態】
【００１７】
好ましい例示的実施形態の詳細な記載
ここで図面を詳細に参照すると、特に、図１〜３は、概して参照番号１１０で示される、本発明による新規のアンカー及びファスナーアセンブリ（以下、一般に「アンカー」又は「アンカーアセンブリ」と呼ばれる）の第１の実施形態を示す。アンカーアセンブリ１１０はフラッシュねじアンカーであり、無数の用途向けに建築業において特に有用であり、建物内で窓又はドアを周囲の支持枠に固定するのに特に適している。フラッシュねじアンカーアセンブリ１１０は、上面１１２、反対側の下面１１３、及びそこを通って延びる任意選択的に雌ねじ付きの中央開口部１１４を有する、好ましくは平坦な基板、フランジ又はワッシャ１１１を備える。さらに、ねじアンカーアセンブリ１１０はまた、好ましくは、アンカー基板１１１に固定され、基板１１１の下面１１３から下向きに延びるねじ又はラグねじ１１６の形態の雄ねじ付きの支柱を含む。図２に最良に示されるように、ねじ１１６の上部シャフトは、基板１１１の中央開口部１１４と合流し、それと軸方向に整列する、軸方向に延びる雌ねじ付き中央穴１１７を含む。穴１１７はねじ１１６の雄ねじ付き上部シャフトの外径より小さい直径を有する。
【００１８】
ねじ１１６内の穴１１７は、フランジ又は基板１１１内の穴１１４によって画定された開いた上端と、ねじ１１６のシャフト内の閉じた下端１１９とを有する止まり穴である。また、ねじ１１６及び基板１１１は一体的に接合されて、一つに組み合わせられたアンカー及びファスナーアセンブリ又は構成要素を形成することも好ましい。ねじ１１６は、溶接、圧入接続を介して、又はねじ１１６と基板１１１がしっかりと固く一緒に結合されて強く頑丈なアンカーを提供することを保証する任意の他の結合手段によって基板１１１に固定することができる。
【００１９】
この実施形態及び本明細書に記載される他の実施形態に関する本発明のアンカーの導入及び使用に関連して以下に示され考察されるように、典型的に、拡大された頭部及びねじ付きのシャフトをワッシャ２７と一緒に有するボルト２６の形態のファスナーは、物体をアンカーに保持し、しっかりと結合するために穴１１７にねじ係合式に受け入れ可能であり、それにより、物体又はその一部又は関連する付属構造物、例えば、出願人の親出願である米国特許出願第１５／８５２，７３３号に示されている屋根の手すり用のガラスパネルを支持するために使用されるＵ字形ブラケットが、アンカー基板１１１の上面にしっかりと素早く固定されるようにする。これは、物体をアンカーにしっかり結合するためにボルトのねじ付きシャフトがアンカーの穴１１７等にねじ込まれて締め付けられる前に通される貫通穴を物体、その一部、又は付属構造物に設けることで実現される。
【００２０】
図４Ａ及び４Ｂは、図１〜３に示されるフラッシュアンカーの実施形態の変形例を示し、ここでは、凹状の皿ねじスロット又はポート１４２が、中央穴１１７の両側でラグねじフラッシュアンカー１１０の上部の外面的に滑らかで拡大された頭部１４４の中に下方へ延びる中央穴１１４の両側で基板１１１に形成され、マイナスドライバ又は他の工具（図示せず）を前記スロット１４２に挿入して、ねじ１１６の雄ねじシャフトの回転を容易にし、アンカー１１０を意図した支持構造にねじ込むか、又は、例えば、それを建物支持構造内に再配置する必要がある場合、そこから回して取り外すことを可能にする。
【００２１】
図５Ａ及び５Ｂは、図１〜３に示す実施形態の別の変形例を示し、ここでは、マイナスドライバポート１４２を使用する代わりに、アレンキーポート１３３が設けられている。より具体的には、座ぐり加工された円筒形頭部スペース１４５がアンカー基板１１１に設けられ、ラグねじアンカー１１０の上部の外面的に滑らかな拡大頭部１４４の中に下方へ延び、ワッシャ１１１の上面１１２から、基板１１１及び頭部１４４に設けられ、それらによって一緒に画定された座ぐり加工された頭部スペース１４５の中へ下方に延びる円筒壁１３１によって部分的に画定されている。
【００２２】
アレンキーポート１３３は、好ましくは溶接穴１１７を介してヘッドスペース１４５に固定された円筒形金属プラグを備える。円筒形プラグ１３３は、アレンキーポートとして機能し且つアレンキー（図示せず）を受け入れるように構成された好ましくは六角形の中央穴を画定する内壁１３２を有し、アレンキーによって、以下でより詳細に記載及び示すように、フラッシュネジアンカー１１０をドア枠、窓枠又は他の支持体に容易かつねじ係合式にねじ込み、及びそれから取り外すことができる。
【００２３】
本発明の第２の実施形態では、図６〜８に示されるように、基板２１１の上面２１２の上に固定された六角形の六角ナット２５０を有する六角頭部ラグねじアンカー２１０が提供される。六角形の六角ナット２５０は、ドライバースロット、アレンキーポート等と同じ目的を果たし、これにより、六角頭部を把持してドア又は窓の建物骨組みへのねじ係合又はそれからの取り外しを容易にするように構成されたソケットレンチ（図示せず）などの工具を使用することができる。外部六角ナット２５０は、好ましくは、溶接などによって基板２１１に一体的に接合されて、ワンピース構成要素を形成する。図７に最良に示されるように、外部六角ナット２５０は、ラグねじ２１６の中央穴２１７及び基板２１１の穴２１４と軸方向に整列し一致する、雌ねじ付きの中央貫通穴２５２を含む。アンカー２１０は、六角形のナット２５０を有するように示され記載されているが、他の多角形又は幾何学的形状が可能であり、本発明によって及び以下でさらに開示されるように企図される。
【００２４】
次に図９〜１１を参照すると、概して参照番号３１０によって示される、本発明による新規の延長された、長尺状にされた又は「ロングネック」ラグねじアンカーアセンブリの第３の実施形態が示されている。アンカー３１０は、上部平坦面３１２及び反対側の下部平坦面３１３を有する好ましくは半径方向に広がるディスク状の環状基板、フランジ又はワッシャ３１１を含み、下部平坦面はまた、ラグねじアンカー３１６の上端に好ましくは溶接される。いわゆる「延長された」又は「ロングネック」３５０は、フランジ３１１の上面３１２に、好ましくは溶接によって、その底端において取り付けられた長尺状の中空管又はカラーを備える。
【００２５】
ネック３５０は好ましくは実質的に円筒形であるが、さらに後述するように特定の幾何学的形状に限定されない。図１１に最良に示されるように、ロングネック３５０は、アレンキーポートを画定するように好ましくは六角形である、その開いた上端に隣接する内面３２４によって画定された中央穴を有し、内面３２４の下端は下に配置されたねじ付き内側貫通穴３２６と合流する。他の実施形態のように、アレンキーツール（図示せず）をアレンキーポートに挿入して、支持構造とのねじ係合を促進且つ有効にすることができる。
【００２６】
図１２は、フラッシュボルトアンカーアセンブリ１１０’を示し、ここでは図１〜５Ｂに示されるねじ付きフラッシュアンカーねじ１１６がねじ付きボルト１１６’で置き換えられている。ねじ付きボルト１１６’は、基板１１１が支持構造の上面に当接し、それと面一になり、その下端が支持構造の貫通穴を通過するまで支持構造にねじ込まれ、それにより、図１７Ａ及び１７Ｂに関連して以下でさらに示し述べるように、支持構造を基板１１１とワッシャ３９との間に挟み、しっかり固定するように、ワッシャ３９及びナット４１をボルト１１６’上に配置且つねじ係合し、完全に締め付けることが可能になる。
【００２７】
図１３は、六角頭部ボルトアンカーアセンブリ２１０’を示し、ここでは図７及び８に示されるねじ付きねじ２１６がねじ付きボルト２１６’で置き換えられている。ここでも、ねじ付きボルト２１６’は、基板２１１が支持構造の上面に当接し、それと面一になるまで支持構造にねじ込まれ、支持構造を通過し、それにより、本明細書においてさらに考察して示すように、ワッシャ３９及びナット４１をボルト上に配置且つねじ係合して、支持構造を基板２１１とワッシャ３９との間に挟むことが可能になる。
【００２８】
図１４は、ロングネック型ボルトアンカーアセンブリ３１０’を示し、ここでは、ねじ付きねじ３１６がねじ付きボルト３１６’で置き換えられている。再度、ねじ付きボルト３１６’は、その基板３１１が支持構造の上面（又は一方の側）に当接しそれと面一になるまで支持構造にねじ込まれる、及び／又は挿入される。同時に、ボルト３１６’の下端は、支持構造の下面（又は他方の側）を通過し、それにより、ワッシャ３９及びナット４１をボルト上に配置且つねじ係合してアンカーアセンブリ３１０’を支持構造にしっかりと固定し、支持構造を、図１７Ａ及び１７Ｂに関連して本明細書において示しさらに記載するように、基板３１１とワッシャ３０及びナット４２との間に挟むことが可能になる。
【００２９】
図１５を参照すると、フラッシュねじアンカーアセンブリ１１０及び／又は六角頭部アンカーアセンブリ２１０によって建物支持枠３１に取り付けられた窓又はドア枠２１が示されている。より具体的には、建物骨組み３１の水平底部シル又は支持体３２に取り付けられた３つのアンカーアセンブリは、左から右へ見た場合、マイナスドライバポート１４２を有するフラッシュねじアンカーアセンブリ１１０と、アレンキーポート１３２を有するフラッシュねじアンカーアセンブリ１１０と、六角頭部ねじアンカーアセンブリ２１０とを備えている。窓建物骨組み３２の直立脚部又はたて枠３４において、六角頭部フラッシュねじアンカー２１０（分解図で示されている）とその下に離間されたフラッシュねじアンカー１１０（完全に取り付けられている）とが示されている。各アンカーの取り付け点において、下部及び上部セクション３２、３４の窓枠２１はそれぞれ、上部棚においてボルト頭部２６及びワッシャ２７を受け入れるための拡大された上部ウェル又は棚を画定するように構成且つ寸法決めされた凹状の概ねＴ字形の貫通穴２３と、ボルト２６のシャフトを収容し、それをアンカー１１０及び２１０の穴１１４、１１７及び２１４、２１７に挿入することを可能にするための下部長尺状穴とを備え、それにより、窓枠２１の底部シル２２は、アンカー基板１１１、２１１に対して面一になり、底部シル２２はフランジ１１１、２１１とボルト２６のワッシャ２７との間に挟まれ、しっかりと固定される。窓枠２１のシル２２の下面は、六角頭部アンカー２１０の六角頭部２５０をその中に受け入れて、シル２２の下面と建物シル枠３２の上面との面一の係合を保証するためのさらなる凹状ウェル２３’を備えている。
【００３０】
２つの同様に構成されたＴ字形穴２３は、窓枠２１のたて枠サイドレール２４の内面に設けられ、ボルト２６の頭部及びワッシャ２７の上部拡大ウェルへの受け入れを可能とし、ここで、ボルト２６のシャフトは、下部穴部分を通過して六角頭部ねじアンカー２１０の止まり穴２１７（分解図で示されている）に、及びその下のフラッシュねじアンカー（完全に導入された状態で示される）に受け入れられる。六角頭部ねじアンカー２１０を使用する結果、窓枠２１のたて枠２４は、建物骨組みのたて枠３４から離間され、任意選択的に、たて枠２４、３４間の中間スペース内にシム（図示せず）を提供して、導入中に必要に応じて窓（又はドア）を水平にすることを可能にする。
【００３１】
アンカーアセンブリ１１０及び２１０は、窓又はドア２１の枠を、業界において標準的であるか又は慣習的であるように、木、金属、コンクリート、複合建設材料等であり得る建物骨組み２２に取り付けて固定するために使用される。ねじアンカー１１０及び２１０のそれぞれシャフト１１６及び２１６は、基板１１１の下側１１３が窓又はドアの開口枠を画定する建物骨組み３１の底板３２及びまぐさ上間柱３４と面一に当接して接触するまで、建物の枠の底部シル３２及び側面たて枠３４などの所望の位置において建物の窓又はドア枠２１にねじ込まれるように構成及び寸法決めされる。
【００３２】
他の状況において、従来型の窓又はドアシル防水パン雨よけ（図示せず）を利用することが望ましい場合がある。シルパン雨よけが利用される据え付けにおいて、雨よけは、窓枠２１を支持する窓又はドアシル３２の上に横たわる。アンカー１１０、２１０はパン及び建物骨組み３２にねじ込まれ、それにより基板１１６、２１６の下面１１３、２１３はパンの上に横たわる。金属製パンが利用される場合、基板１１１、２１１の下面１１３をパンに溶接又ははんだ付けすることが望ましい場合がある。
【００３３】
或いは、図１５に示されるように、シーラント、セメント、コーキング又は接着層、或いはガスケット３５を、任意選択的に基板１１１、２１３の下面１１３、２１３に適用して、基板１１１を底板３１又はパンに接着接合及びシールすることができる。この状況では、アンカー１１０、２１０を適所に完全に締め付ける前にシーラント又はガスケット３５を基板１１１、２１１の下に置くことが好ましい。次にアンカー１１０、２１０は下方に締め付けられ、基板１１はシーラントガスケット３５の上に横たわり、それを適所でシールする。中央開口部等を有するゴム製ガスケット３５が使用される場合、それはアンカー１１０、２１０をシル３２又はパンにねじ込む前に、支柱又はねじ１１６、２１６のシャフトの周囲に受け入れられる。
【００３４】
いったんアンカーアセンブリ１１０、２１０を、ガスケット又はシーラント３５とともにドア又は窓の建物骨組み３２の所望の位置に結合すると、ボルト２６がアンカー１１０及び２１０の穴１１４、１１７に挿入される。据え付け作業者は、アンカー１１０、２１０の穴１１７、２１７内に一時的に受け入れられるボルト２６の頂部で建物又は壁枠３１内に窓又はドア枠２１をルーズに横たえるという選択肢を有する。ボルト２６は半月形レンチなどで所望の水平高さまで回転される。次いでシム（図示せず）がパン又は基板１１６、２１６と窓枠２１との間に挿入され、ドア又は窓２００を水平にする。次に窓又はドアは建物骨組み３１から取り外され、ボルト２６がアンカー１１０、２１０からねじ戻される。次に窓又はドアはシム（図示せず）の頂部で枠開口部２１に戻される。次にボルト２６は窓又はドア枠２１に形成された凹状開口部２３を通して、シャフト１１６、２１６の雌ねじ付き中央穴１１７、２１７に挿入され、締め付けられ、窓又はドア枠２１を適所に固定する。窓枠２１のサイズに応じて、複数のアンカーアセンブリを使用可能であり、それらの正確なサイズ及び配置は用途に依存する。
【００３５】
図１５から理解できるように、アンカー１１０、２１０は、アセンブリを防水し、漏れから支持構造を保護する働きをする。先に述べたように、これは、窓又はドア枠２１を支持建物骨組み構造３１に取り付ける地点で特に重要である。穴１１４、２１４のそれぞれは止まり穴又は穴であり、ねじ又はボルト１１６、２１６のシャフトの底端１１９、２１９は閉じているので、窓枠２１、２１０の間に侵入する可能性のある水の潜在的な経路は、建物骨組み３１に侵入することからブロックされる。したがって、止まり穴１１７、２１７は、以下の２つの目的を果たす：（１）枠又は他の支持構造に取り付けられる窓又はドアによって画定される、強く、頑丈で剛性のある固定支持点を提供する、（２）止まり穴１１７、２１７及び底端１１９、２１９が閉じられた結果として、中央穴１１７、２１７を介して枠３２又は他の支持構造の中及び下に水が浸入するのを防ぐ。
【００３６】
図１６Ａ及び１６Ｂに示されるように、ロングネックアンカーアセンブリ３１０は、例えば、シャッター、ホース用水栓、壁に取り付けられたホース受け台、外側飾り板、又は他のアイテムを、例えば壁被覆５０、壁膜シート５１及び漆喰の層５２で構成される建物の外壁などに定着及び固定するのに特に適している。それは家又は建物の漆喰の外部仕上げのために典型的であるからである。
【００３７】
被覆は、業界において標準的であるか又は慣習的であるように、木材、金属、コンクリート、複合建設材料などであり得ることに留意されたい。その結果、アンカー３１０のシャフト３１６は、建物の壁被覆又は建物骨組み５０及び任意選択の壁膜５１にねじ込まれるような構成及び寸法にされているため、延長されたロングネック３２２の開口端は、漆喰層５２の外面とほぼ面一になる。図１６Ａに示すように、据え付け中、アンカー３１０は、そのロングネックが膜５１を越えて意図した漆喰外層５２（後で適用される）まで外側に突き出るように、アレンキーポート３２４に挿入されたアレンキーを好ましくは使用して、所望の位置にねじ係合により結合される。或いは、必要に応じて（図示せず）、切欠きを備えた外側被覆又はこけら板を据え付けて、アンカーロングネック延長部２２が外側被覆５２を貫通し、その外端３２４が外側被覆５２の外面と面一になることが可能である。その結果、管状ネック３２は、漆喰５２などの建物の壁の外側被覆の幅又は厚さに等しい長さを有し、この場合はシャッター８０であるサイディングの外面に隣接して物体をそれに結合するための面一で強力な水を通さない取り付け点を実現する。
【００３８】
図１６Ａ（分解図）及び図１６Ｂ（完全に設置された図）に示されるように、２つのロングネックアンカーアセンブリ３１０は、例えば、シャッター８０を取り付ける際に使用され得、そして示されるように、直立ヒンジピン８４を有するヒンジ部８２が提供され、シャッター８０がそのヒンジのペアに旋回可能に取り付けられる。ヒンジ部８２は、その円筒形のベース部分に貫通穴８３を有し、及び直立ヒンジピン８３を有し、直立ヒンジピン８３に対して、シャッターヒンジプレート８７の中空カラー８６が旋回可能に取り付けられ、締めることを意図された窓（図示せず）に対して開位置から閉位置にそれが旋回することを可能にする。ロングネックアンカーアセンブリ３１０のアンカーネジ３１６は、シャッター８０を取り付けるための所望の位置で、下にある建物構造５０にねじ係合されて結合されるように構成及び寸法決めされている。シーラント３５又はガスケットをその基板３１１の下側で使用することができる。
【００３９】
より具体的には、シーラント、セメント、コーキング又は接着層３５を基板３１６の下面３１３に適用して、基板３１６を、任意選択的に膜５１で覆われ、その中にシャフト３１６がねじ係合により受け入れられる壁被覆の外面５２又は下部構造５２に接着接合及びシールすることができる。この状況では、アンカー３１０を所定の位置で完全にシールする前に、シーラント層３５（又はガスケット、図示せず）を基板３１６の下に配置することが好ましい。次に、アンカー３１０は、基板３１６とともにシーラント（又はガスケット）３５の上に締め付けられ、それを所定の位置でシールする。中央開口部などを有するゴム製ガスケットが利用される場合、ガスケット３５は、アンカー３１０を下部構造にねじ込む前に、シャフト３１６の周りに受け取られる。次に、ガスケット開口部は、シャフト３１６上で受け取られ、ガスケットは、基板３１６の下側３１３とサイディング５０又は膜５１との間に置かれる。
【００４０】
ねじアンカー３１０が枠構造５０に固定されると、ボルト８５がヒンジ部８２の内部穴８４を通して挿入され、ロングネック３２２のねじ付き穴３２６に、次にねじアンカー３１６の意図されたねじ付き穴３１７にねじ込まれる。ヒンジ部８２は本質的にロングネック３２２の一部になる。据え付け後、そのヒンジプレート８７の中空カラー８４の中央穴を介して窓シャッター８０は、ヒンジ部８２の直立ピン８３に回転可能に取り付けられ、取り付けられたヒンジ部８２に旋回可能に配置される。図から分かるように、シャッター８０は、実際には２つのヒンジプレート８７及びカラー８６、並びにそれぞれがヒンジ部８２及びピン８３を有する２つのロングネックねじアンカー３１０によって支持されている。
【００４１】
図１７Ａ及び図１７Ｂは、図１６Ａ及び図１６Ｂと同様であるが、ロングネックねじアンカー３１０の代わりに、図１４に示されるタイプのロングネックボルトアンカー３１０’が使用される。この実施形態は、ワッシャ３９とナット４１をボルト３１６’のねじ付きシャフトに取り付けることができ、取り付けられたボルトアンカー３１０’を、ワッシャ３９と基板３１１との間にしっかりと挟まれている壁被覆５０にしっかりと固定するようにワッシャ３９とナット４１を締め付けることができ、それによりそのロングネック３５０の自由端は漆喰層の外面と面一になるように、壁被覆５０又は下部構造の内側へのアクセスが存在する状況に適している。ヒンジ部８２の取り付けは、図１６Ａ及び１６Ｂに関連して記載したものと同じである。
【００４２】
前述の記載からも理解できるように、アンカーの材料、それらの特定の寸法、ねじ切り構造の形状及びサイズなどは、用途、及び、金属、木材、コンクリート又は他の何らかの複合材などの周囲の建物材料に依存する。他の規則的又は不規則な形状又は非平面構成を特定の用途に使用することができるが、ほとんどの用途では、基板は円形であることが好ましい。同様に、ファスナー、ねじ又はボルトの種類も、支持面と適合するように選択されることが予想される。また、様々な実施形態の要素は、必要に応じて互いに置換されてもよい。さらに、アンカーアセンブリの様々な部品は、好ましくはステンレス鋼で作られているが、それらは、例えば、アルミニウム、青銅、又は金属、炭素繊維又はセラミック合金、及びプラスチックなどの他の材料又は金属で作られてもよい。
【００４３】
言うまでもないが、使用の際、止まり穴は、ねじ又はボルトの外径よりも小さい直径を有する。例えば、実際の使用では、ねじ又はボルトねじの外径は１／２インチで、穴の直径は３／８インチである。しかしながら、上述のように、ねじ又はボルトの直径の寸法は、穴、ロングネック、及びねじ又はボルトの長さと同様に、変化する可能性がある。例えば、好ましくは、ラグねじのシャフトは、３／８インチ以上の外形寸法を有する。しかしながら、ねじの寸法及びそのねじ構成の両方は、例えば、材料の性質、及びアンカーの目的、及びそれが使用されるもの、例えば窓及びドア、それがアンカーやファスナーとして機能するものなど、用途に依存して変化し得る。
【００４４】
同様に、ロング又は延長したネックの長さは、任意の有用な範囲であり得、典型的には、約０．１０インチと２．５インチとの間であり得るが、好ましくは１．０インチである。上記のように、ロングネックの高さ又は長さは、フラッシュマウントを提供するように、それが延びる被覆又は他の構造の幅にほぼ一致するように寸法決めされる、又は必要に応じて、他の用途向けに被覆又は他の構造の幅よりも短い又は長い長さを有利に有する場合がある。
【００４５】
アレンキー及びドライバースロットの他に、他の手段又は他の構成の工具ポートを代わりに使用して、ユーザがアンカー１１０を建物支持体にねじ込み及び／又は取り外すことを支援できることに留意されたい。例えば、プラグ１３３又は基板１１１は、トルクスドライブ、フィリップスヘッド、又は工具ポートに他の形状、例えば、パンヘッド、丸、楕円形等を利用し得るスタービット工具など、結合及び／又は取り外しに使用される他の既知の工具を受け入れるように構成することができる。
【００４６】
したがって、本発明の特定の実施形態を記載してきたが、本発明は従来技術が許容する程度に範囲が広いこと、及び明細書が同様に読まれることが意図されているので、本発明はそれに限定されることは意図されていない。したがって、本発明の趣旨及び範囲から逸脱することなく、他の修正を行うことができることが当業者には理解されよう。
【図１】
2021514435.tif 000003
【図２】
2021514435.tif 000004
【図３】
2021514435.tif 000005
【図４Ａ】
2021514435.tif 000006
【図４Ｂ】
2021514435.tif 000007
【図５Ａ】
2021514435.tif 000008
【図５Ｂ】
2021514435.tif 000009
【図６】
2021514435.tif 000010
【図７】
2021514435.tif 000011
【図８】
2021514435.tif 000012
【図９】
2021514435.tif 000013
【図１０】
2021514435.tif 000014
【図１１】
2021514435.tif 000015
【図１２】
2021514435.tif 000016
【図１３】
2021514435.tif 000017
【図１４】
2021514435.tif 000018
【図１５】
2021514435.tif 000019
【図１６Ａ】
2021514435.tif 000020
【図１６Ｂ】
2021514435.tif 000021
【図１７Ａ】
2021514435.tif 000022
【図１７Ｂ】
2021514435.tif 000023
【国際調査報告】
2021514435.tif 000024